(57)【要約】【課題】自動的に複数のパスをグループ化して他の通信装置に広告し、また、リソースの非効率的な利用を回避することができる通信装置を提供することを目的とする。【解決手段】ネットワークにおいて、設定したパスをリンクとして他の通信装置に広告する通信装置であって、複数の前記パスのうち両端の通信装置が同じであるパスの中の少なくとも一部をグループ化して１つのリンクとして他の通信装置に広告するためのグループリンクと、そのグループリンクを構成し前記パスと１対１で関連付けられる１つ以上の個別リンクとを、それぞれ識別子を用いて記憶手段で管理するリンク識別子管理手段２４と、パスを設定するパス設定手段２１と、前記グループリンクを他の通信装置に広告するリンク広告手段２２と、を備える。【選択図】図２
2007158480.tif 000002
【特許請求の範囲】
【請求項１】
ネットワークにおいて、設定したパスをリンクとして他の通信装置に広告する通信装置であって、
複数の前記パスのうち両端の通信装置が同じであるパスの中の少なくとも一部をグループ化して１つのリンクとして他の通信装置に広告するためのグループリンクと、そのグループリンクを構成し前記パスと１対１で関連付けられる１つ以上の個別リンクとを、それぞれ識別子を用いて記憶手段で管理するリンク識別子管理手段と、
パスを設定するパス設定手段と、
前記グループリンクを他の通信装置に広告するリンク広告手段と、
を備えたことを特徴とする通信装置。
【請求項２】
前記パス設定手段は、前記記憶手段に記憶された前記個別リンクおよび前記グループリンクに関する識別子を含む情報を他の通信装置と送受信することで、前記パスと前記個別リンクを関連付けながら前記パスを設定し、
前記リンク識別子管理手段は、前記パス設定手段によるそのパスの設定に連動して、前記記憶手段で、その設定したパスに対応する個別リンクとその属する前記グループリンクとを管理することでグループ化を行う
ことを特徴とする請求項１に記載の通信装置。
【請求項３】
前記パス設定手段は、パス設定要求が発生したときに前記パスを設定し、
前記リンク識別子管理手段は、前記パス設定手段が前記パスを設定した場合、前記記憶手段を検索して、前記グループリンクにおいてそのパスと対応する前記個別リンクを利用可能に設定することを特徴とする請求項１に記載の通信装置。
【請求項４】
前記パス設定手段は、他の通信装置からパス設定の要求を意味するパス設定情報を受信したときに前記パスを設定し、
前記リンク識別子管理手段は、前記パス設定手段が前記パスを設定した場合、前記記憶手段を検索して、前記グループリンクにおいてそのパスと対応する前記個別リンクを利用可能に設定することを特徴とする請求項１に記載の通信装置。
【請求項５】
前記記憶手段は、実際には設定されていないパスを含めグループ化して仮想リンクとして記憶し、
前記リンク識別子管理手段は、前記仮想リンクを前記グループリンクとして管理することを特徴とする請求項１に記載の通信装置。
【請求項６】
前記リンク広告手段は、複数存在し、
それらの複数の前記リンク広告手段は、前記グループリンクを、それぞれ異なった他の通信装置に広告することを特徴とする請求項１または請求項５に記載の通信装置。
【請求項７】
請求項１から請求項６までのいずれか１項に記載の通信装置としてコンピュータに機能させるためのプログラム。
【発明の詳細な説明】
【技術分野】
【０００１】
本発明は、ネットワークにおける通信装置であって、より詳しくは、複数のパス（複数のリンクを経由する２つの通信装置間の伝送路に設定される通信経路）をグループ化して１つのリンク（通信装置間の通信可能な状態の通信経路）として、他の通信装置に広告（伝達）する通信装置、およびそのプログラムに関する。
【背景技術】
【０００２】
従来、設定したパスをリンクとして通信装置間で広告する方法として、パス設定時にリンクのＩＦＩＤ（Interface Identification：識別子）を交換する方法がある（非特許文献１の３章参照）。これにより、下位レイヤのパスを設定し、それをリンクとして用いて上位レイヤのパスを収容する、といった運用が可能となり、スケーラビリティ（拡張性）を高めることができる。
【０００３】
また、特定の２つの通信装置間の複数のパスをグループ化して、１つのリンクとして他の通信装置に広告する方法がある（非特許文献２の４〜６章参照）。これにより、パスを個別に広告するのではなく、１つのリンクとして広告することが可能となり、広告のための情報の量を減らすことができ、スケーラビリティを高めることができる。
【非特許文献１】“Signalling Unnumbered Links in Resource ReSerVation Protocol - Traffic Engineering (RSVP-TE)”、［online］、２００３年９月、ＩＥＴＦ（The Internet Engineering Task Force）、［２００５年９月検索］、インターネット、＜ＵＲＬ：http://www.ietf.org/rfc/rfc3477.txt＞
【非特許文献２】“Link Bundling in MPLS Traffic Engineering”、［online］、２００４年１２月、ＩＥＴＦ（The Internet Engineering Task Force）、［２００５年９月検索］、インターネット、＜ＵＲＬ：http://www.ietf.org/internet-drafts/draft-ietf-mpls-bundle-06.txt＞
【発明の開示】
【発明が解決しようとする課題】
【０００４】
しかしながら、前記した従来の方法では、複数のパスをグループ化して１つのリンクとして広告するためには、パスの始点と終点の通信装置において、パスを設定後に、個々のパスに対応する個別リンクを識別するＩＦＩＤと、個別リンクをグループ化したグループリンクを識別するＩＦＩＤの対応付けを手動で設定する必要があった。そのため、それらの設定に伴う運用コストの増加や、手動設定に伴う設定ミスや誤動作、さらには、迅速なサービス提供が困難、といった問題があった。
【０００５】
また、パスをリンクとして広告する際には、パスが設定されていることが前提となるため、リンクを広告するために、その時点で必要か否かに関係なく、パスを設定しておかなければならず、リソース（通信装置や通信回線など）の利用が非効率的となってしまうという問題があった。
【０００６】
そこで、本発明は、前記問題点に鑑みてなされたものであり、自動的に複数のパスをグループ化して他の通信装置に広告し、また、リソースの非効率的な利用を回避することができる通信装置を提供することを目的とする。
【課題を解決するための手段】
【０００７】
前記課題を解決するために、請求項１に係る発明は、ネットワークにおいて、設定したパスをリンクとして他の通信装置に広告する通信装置であって、複数の前記パスのうち両端の通信装置が同じであるパスの中の少なくとも一部をグループ化して１つのリンクとして他の通信装置に広告するためのグループリンクと、そのグループリンクを構成し前記パスと１対１で関連付けられる１つ以上の個別リンクとを、それぞれ識別子を用いて記憶手段で管理するリンク識別子管理手段と、パスを設定するパス設定手段と、前記グループリンクを他の通信装置に広告するリンク広告手段と、を備えたことを特徴とする。
請求項１に係る発明によれば、複数のパスを自動的にグループ化してグループリンクとし、そのグループリンクを他の通信装置に広告することができる。
【０００８】
請求項２に係る発明は、前記パス設定手段が、前記記憶手段に記憶された前記個別リンクおよび前記グループリンクに関する識別子を含む情報を他の通信装置と送受信することで、前記パスと前記個別リンクを関連付けながら前記パスを設定し、前記リンク識別子管理手段は、前記パス設定手段によるそのパスの設定に連動して、前記記憶手段で、その設定したパスに対応する個別リンクとその属する前記グループリンクとを管理することでグループ化を行うことを特徴とする請求項１に記載の通信装置である。
請求項２に係る発明によれば、パス設定時に、パスと個別リンクの関連付けを行うことができる。
【０００９】
請求項３に係る発明は、前記パス設定手段が、パス設定要求が発生したときに前記パスを設定し、前記リンク識別子管理手段は、前記パス設定手段が前記パスを設定した場合、前記記憶手段を検索して、前記グループリンクにおいてそのパスと対応する前記個別リンクを利用可能に設定することを特徴とする請求項１に記載の通信装置である。
請求項３に係る発明によれば、パス設定要求が発生したときに行われるパス設定に連動して、個別リンクを利用可能に設定することができる。
【００１０】
請求項４に係る発明は、前記パス設定手段が、他の通信装置からパス設定の要求を意味するパス設定情報を受信したときに前記パスを設定し、前記リンク識別子管理手段は、前記パス設定手段が前記パスを設定した場合、前記記憶手段を検索して、前記グループリンクにおいてそのパスと対応する前記個別リンクを利用可能に設定することを特徴とする請求項１に記載の通信装置である。
請求項４に係る発明によれば、他の通信装置からパス設定情報を受信したときに行われるパス設定に連動して、個別リンクを利用可能に設定することことができる。
【００１１】
請求項５に係る発明は、前記記憶手段が、実際には設定されていないパスを含めグループ化して仮想リンクとして記憶し、前記リンク識別子管理手段は、前記仮想リンクを前記グループリンクとして管理することを特徴とする請求項１に記載の通信装置である。
請求項５に係る発明によれば、実際には設定されていないパスを含めグループ化して仮想リンクとし、その仮想リンクをグループリンクとして管理することができる。
【００１２】
請求項６に係る発明は、リンク広告手段が、複数存在し、それらの複数のリンク広告手段は、グループリンクを、それぞれ異なった他の通信装置に広告することを特徴とする請求項１または請求項５に記載の通信装置である。
請求項６に係る発明によれば、複数のリンク広告手段が、グループリンクをそれぞれ異なった他の通信装置に広告することができる。
【００１３】
請求項７に係る発明は、請求項１から請求項６までのいずれか１項に記載の通信装置としてコンピュータに機能させるためのプログラムである。
【発明の効果】
【００１４】
請求項１に係る発明によれば、迅速、かつ、設定ミスを防ぎながら、複数のパスを自動的にグループ化してグループリンクとし、そのグループリンクを他の通信装置に広告することができる。
【００１５】
請求項２に係る発明によれば、パス設定時に、パスと個別リンクの関連付けを行うことができる。
【００１６】
請求項３に係る発明によれば、パス設定要求が発生したときに行われるパス設定に連動して、個別リンクを利用可能に設定することができる。
【００１７】
請求項４に係る発明によれば、他の通信装置からパス設定情報を受信したときに行われるパス設定に連動して、個別リンクを利用可能に設定することことができる。
【００１８】
請求項５に係る発明によれば、実際には設定されていないパスを含めグループ化して仮想リンクとし、その仮想リンクをグループリンクとして管理することで、リソースの効率的な利用を実現することができる。
【００１９】
請求項６に係る発明によれば、複数のリンク広告手段がグループリンクをそれぞれ異なった他の通信装置に広告することで、ネットワークの仮想化を実現することができる。
【００２０】
請求項７に係る発明によれば、コンピュータにそのプログラムを実行させることにより、請求項１から請求項６までのいずれか１項に記載の通信装置を実現することできる。
【発明を実施するための最良の形態】
【００２１】
以下、本発明の実施形態に係る通信装置について、適宜図面を参照しながら説明する。
図１は、本実施形態が前提とするネットワーク構成の一部を示した図である。通信装置Ａ〜Ｅ（以下、単に「通信装置」ということもある）は、情報の交換機能を有するものであり、たとえば、ルータ、Ｌ２ＳＷ（Layer 2 switch）、ＴＤＭ（Time Division Multiplexing）クロスコネクト、波長クロスコネクト、ＭＰＬＳ（Multi-Protocol Label Switching）のＬＳＲ（Label Switching Router）などにより実現される。
【００２２】
通信装置Ａと通信装置Ｂの間、通信装置Ｂと通信装置Ｃの間、通信装置Ｃと通信装置Ｄの間、および、通信装置Ｄと通信装置Ｅの間に存在する伝送路は、情報転送の媒体であり、たとえば、光ファイバである。
【００２３】
パスは、通信装置間の伝送路に設定される通信経路である。ここでは、パス※１とパス※２が、通信装置Ｂと通信装置Ｄの間に設定され、また、それらがグループ化されてグループリンク１となっている。
なお、各通信装置は、パス※１を個別リンク♯１１、パス※２を個別リンク♯１２として認識する。
【００２４】
また、グループリンクは、他の通常のリンク（設定変更を前提としていない静的なリンク）と同様に、ネットワーク全体の通信装置に広告される。一方、個別リンクは、ネットワーク全体の通信装置に広告されない。たとえば、通信装置Ａは、グループリンク１の情報を取得するが、個別リンク♯１１および個別リンク♯１２の情報は取得しない。
さらに、グループリンクを特定の通信装置にのみ広告することも可能であり、その詳細は図１１を用いて後記する。
【００２５】
＜第１実施形態＞
図２は、第１実施形態に係る通信装置の構成図である。通信装置は、パス設定手段２１、リンク広告手段２２、リンク管理手段２３、リンク識別子管理手段２４、リンク識別子管理ＤＢ（Data Base）２５、パスＤＢ２６およびリンクＤＢ２７を備えて構成される。
【００２６】
なお、パス設定手段２１〜リンク識別子管理手段２４は、たとえば、ＣＰＵ（Central Processing Unit：不図示）が、ＲＯＭ（Read Only Memory：不図示）などからメモリ（不図示）にロードされたプログラムを実行することにより実現されるものである。
また、リンク識別子管理ＤＢ２５〜リンクＤＢ２７は、たとえば、ハードディスク（不図示）などに記憶される情報である。
【００２７】
パス設定手段２１は、パス設定情報（パスの設定に関する情報）やパス設定応答（パス設定情報を受信したときに返信する応答情報）を隣接の通信装置と交換することで、パスを設定するものである。設定されたパスの情報は、パスＤＢ２６に格納される。パス設定手段２１としては、たとえば、ＲＦＣ（Request For Comment）３４７３（Generalized Multi-Protocol Label Switching (GMPLS) Signaling Resource Reservation Protocol-Traffic Engineering (RSVP-TE) Extensions）で規定されている技術を用いる。
【００２８】
リンク広告手段２２は、リンク情報（リンクに関する情報）を隣接の通信装置と交換することで、ネットワーク全体のリンク情報を取得するものである。交換されたリンク情報は、リンクＤＢ２７に格納される。リンク広告手段２２としては、たとえば、ＲＦＣ３６３０（Traffic Engineering(TE) Extensions to OSPF Version2）で規定されている技術を用いる。
【００２９】
リンク管理手段２３は、自身の通信装置を一端とするリンクを管理し、リンクＤＢ２７の値を設定あるいは変更する。
リンク識別子管理手段２４は、リンク識別子管理ＤＢ２５に対して、両端の通信装置が同じである複数の個別リンク（パス）をグループリンクとしてグループ化するなど、各種処理を行う。
【００３０】
リンク識別子管理ＤＢ（記憶手段）２５は、複数のパスをグループ化して１つのリンクとして広告するためのグループリンクに関するＩＦＩＤや、グループリンクの中の個別リンクに関するＩＦＩＤなどを管理するＤＢである。
グループリンク２５１には、ローカルＩＦＩＤ２５１１、リモート装置ＩＤ２５１２およびリモートＩＦＩＤ２５１３が設定される。
【００３１】
ローカルＩＦＩＤ２５１１は、自身の通信装置においてグループリンク２５１を一意に示す識別子である。
リモート装置ＩＤ２５１２は、グループリンク２５１のもう一方の端となっている通信装置（リモート装置）のＩＤである。
リモートＩＦＩＤ２５１３は、リモート装置においてグループリンク２５１を一意に示す識別子である。なお、ローカルＩＦＩＤ２５１１とリモートＩＦＩＤ２５１３は同じでもかまわない。
【００３２】
そして、１つのグループリンク２５１に対して、１つ以上の個別リンク２５２が対応する。個別リンク２５２には、ローカルＩＦＩＤ２５２１、リモートＩＦＩＤ２５２２およびフラグ２５２３が設定される。
【００３３】
ローカルＩＦＩＤ２５２１は、自身の通信装置において個別リンクを一意に示す識別しである。
リモートＩＦＩＤ２５２２は、リモート装置において個別リンクを一意に示す識別子である。なお、ローカルＩＦＩＤ２５２１とリモートＩＦＩＤ２５２２は同じでもかまわない。
【００３４】
フラグ２５２３は、パスが設定されていて実際に個別リンクを利用できる状態であるか否かを示す識別子である。たとえば、実際に個別リンクを利用できる状態（パスが設定されている状態）のときは「１」が設定され、利用できない状態（パスが設定されていない状態）のときは「０」が設定される。
なお、リモート装置ＩＤ２５１２としては、たとえばＩＰアドレスが相当する。また、各ＩＦＩＤとしてば、たとえば単なる番号やＩＰアドレス（リンクの両端の通信装置の２つ分のＩＰアドレス）が相当する。
【００３５】
パスＤＢ（記憶手段）２６は、パスに関する情報を格納するＤＢである。
始点装置ＩＤ２６１は、パスの始点となっている通信装置（パスの設定情報を他の通信装置に送信する側の通信装置）を一意に示す識別子である。
終点装置ＩＤ２６２は、パスの終点となっている通信装置（パスの設定情報を他の通信装置から受信する側の通信装置）を一意に示す識別子である。
【００３６】
パス識別子２６３は、始点装置および終点装置のペアについて、パスを一意に識別する識別子である。
経路２６４は、パスが経由する経路のリスト（たとえば、リンクＤＢ２７のＡ端ＩＦＩＤ２７２やＺ端ＩＦＩＤ２７４によって表記。詳細は後記）を示す情報である。
【００３７】
帯域２６５は、パスの帯域（たとえば１０Gbps（Giga bit per second）など）を示す情報である。
リンク２６６は、オプション情報（必須ではない情報）であり、パスを設定した後に、リンク（グループ化されていない個別リンク、あるいは、個別リンクがグループ化されたグループリンク：以下同様）として広告する際に情報が設定され、このときのリンクのＩＦＩＤを示す。
【００３８】
ローカルＩＦＩＤ２６６１は、リンク識別子管理ＤＢ２５のローカルＩＦＩＤ２５１１あるいはローカルＩＦＩＤ２５２１と同様の意味である。
リモートＩＦＩＤ２６６２は、リンク識別子管理ＤＢ２５のリモートＩＦＩＤ２５１３あるいはリモートＩＦＩＤ２５２２と同様の意味である。
【００３９】
リンクＤＢ（記憶手段）２７は、リンクの情報を格納するＤＢである。なお、ここでいうリンクとしては、主に次の４種類が挙げられる。
（１）通常のリンク（設定変更を前提としていない静的なリンク）
（２）設定されたパスをリンクとして広告する場合のリンク（グループ化なし）
（３）通常のリンクのグループリンク
（４）設定された複数のパスをグループ化したグループリンク
【００４０】
Ａ端装置ＩＤ２７１は、リンクの一方の端となっている通信装置を一意に示す識別子である。
Ａ端ＩＦＩＤ２７２は、Ａ端装置で、該リンクを一意に示す識別子である。
Ｚ端装置ＩＤ２７３は、リンクの他方の端となっている通信装置を一意に示す識別子である。
Ｚ端ＩＦＩＤ２７４は、Ｚ端装置で、該リンクを一意に示す識別子である。
帯域２７５は、該リンクの最大可能利用帯域を示す情報である。
残余帯域２７６は、該リンクで利用可能な残余帯域を示す情報である。
【００４１】
リンクＤＢ２７に格納される情報は、前記した４種類のリンクにかかわらず図２に示した通りであり、リンク広告手段２２は、これらのリンク情報を一様に他の通信装置に広告する。
なお、従来技術では、リンク識別子管理ＤＢにおいて個別リンクを利用できる状態であるのか否かを示すフラグが存在せず、個別リンクは必ず利用可能な状態であることを前提としていた。そのため、パス設定手段でパスを設定した場合、パスＤＢに含まれるリンクのローカルＩＦＩＤやリモートＩＦＩＤを利用して、リンク情報を構成しグループ化せずにリンクとして広告することはできたが、リンクをグループ化しようとした場合、そのリンクがどのグループに属するかが自動的にはわからないため、パスの始点装置および終点装置において、グループの設定を手動で行う必要があった。
第１実施形態に係る通信装置は、図２に示す構成により、グループの設定を自動的に行うことができる（詳細は図３、図４で後記）。
【００４２】
図３は、パスの始点装置となる図２の通信装置が複数のパスをグループ化して１つのリンクとして広告する際の処理手順を示したフローチャートである（適宜図１、図２参照）。
【００４３】
まず、ステップＳ３１において、リンク識別子管理手段２４は、グループ化する個別リンク数を事前に想定（たとえば５つと想定）し、リンク識別子管理ＤＢ２５で事前に設定を行う。すなわち、グループリンク２５１と個別リンク２５２の関連付けを行う。このとき、すべての個別リンク２５２について、フラグ２５２３を０（利用不可）としておく。
なお、このとき、ＬＭＰ（Link Management Protcol；ＵＲＬ「http://www.ietf.org/internet-drafts/draft-ietf-ccamp-lmp-mib-10.txt」参照）により、リモート装置ＩＤ２５１２とリモートＩＦＩＤ２５１３の値の対応が正しいか否かを確認してもかまわない。
【００４４】
たとえば、図１のネットワーク構成の通信装置Ｂにて、パス※１、パス※２が未設定である初期状態において、ステップＳ３１により、以下の表１のように、各値が設定される。
【表１】
2007158480.tif 000003
【００４５】
ステップＳ３２において、パス設定要求が発生したとする。パス設定要求で与えられるパラメータとしては、始点装置ＩＤ、終点装置ＩＤ、帯域などがある。パス設定要求の発生のトリガーとしては、オペレータによる指示や、トラヒックの増加、さらには、外部の通信装置（たとえば通信装置Ａ）からのパス設定情報の受信などが考えられる。
【００４６】
そうすると、ステップＳ３３において、リンク識別子管理手段２４は、リンク識別子管理ＤＢ２５の中から、パス設定要求の終点装置ＩＤと一致するリモート装置ＩＤを持つグループリンク２５１を検索し、その中の個別リンク２５２でフラグ２５２３が０（利用不可）となっている個別リンク２５２のローカルＩＦＩＤ２５２１を取得する。
【００４７】
次に、ステップＳ３４において、パス設定手段２１は、該当するパスを設定する。具体的には、パス設定手段２１は、まず、パス設定情報を、経路の次ホップ（通信装置）に向けて送出する。ここで、経路を計算するために、独立の経路計算手段（不図示）を持つようにしてもよい。経路計算手段は、たとえば、リンクＤＢ２７の情報を用い、公知の制約付きDijkstra法により経路計算を行うものであればよい。パス設定情報のリンクのローカルＩＦＩＤには、ステップＳ３３で取得した個別リンク２５２のローカルＩＦＩＤ２５２１が設定される。
【００４８】
パス設定情報の送信先の通信装置からパス設定応答を受信すれば、パス設定が完了したことになる。パス設定応答には、リンクのリモートＩＦＩＤが含まれる。
次に、パス設定手段２１は、パスＤＢ２６を更新する。具体的には、パス設定手段２１は、ステップＳ３２で取得したパスの始点装置ＩＤ、終点装置ＩＤおよび帯域と、ステップＳ３４で設定したパス、個別リンク２５２のローカルＩＦＩＤ２５２１およびリモートＩＦＩＤ２５２２を、パス情報としてパスＤＢ２６に格納する。この際、パス識別子２６３に格納されるパス識別子は、たとえば、パス設定手段２１が自動的に払い出す（作成して提供する：以下、同様）ようにすればよい。
【００４９】
続いて、ステップＳ３５において、リンク識別子管理手段２４は、リンク識別子管理ＤＢ２５を更新する。すなわち、パス設定時に送受信したリンクのローカルＩＦＩＤおよびリモートＩＦＩＤについて、リンク識別子管理ＤＢ２５のその対応する個別リンク２５２のフラグ２５２３を１（利用可能）に変更する。
【００５０】
ステップＳ３６において、リンク管理手段２３は、リンクＤＢ２７を更新する。すなわち、リンク識別子管理ＤＢ２５にてその対応するグループリンク２５１を検索し、次の２通りの方法のいずれかで、グループリンクのローカルＩＦＩＤを取得する。
【００５１】
（１）リンクＤＢ２７のリンク情報に、その対応するグループリンクが既に存在する場合
リンクＤＢ２７のリンク情報の中に、Ａ端装置ＩＤ２７１が自身の通信装置ＩＤで、かつ、Ａ端ＩＦＩＤ２７２がグループリンク２５１のローカルＩＦＩＤ２５１１であるか、あるいは、Ｚ端装置ＩＤ２７３が自身の通信装置ＩＤで、かつ、Ｚ端ＩＦＩＤ２７４がグループリンク２５１のローカルＩＦＩＤ２５１１であるもののいずれかが発見された場合、その対応するグループリンクが既に存在することを意味する。
したがって、リンク管理手段２３は、リンクＤＢ２７に、設定したパスを既存のグループリンクに追加する。また、リンクＤＢ２７の帯域２７５と残余帯域２７６の値を、設定したパスの帯域の分だけ増加させる。
【００５２】
（２）リンクＤＢ２７のリンク情報に、その対応するグループリンクが存在しない場合
前記（１）に該当しない場合は、リンクＤＢ２７のリンク情報の中に、その対応するグループリンクが存在していないことを意味する。
したがって、リンク管理手段２３は、リンクＤＢ２７において、そのグループリンクに関する新たなリンク情報を作成し、追加する。具体的には、リンク管理手段２３は、Ａ端装置ＩＤ２７１、Ｚ端装置ＩＤ２７３を、それぞれ、パスの始点装置ＩＤ（つまり、自身の通信装置ＩＤ）、パスの終点装置ＩＤに設定する。また、リンク管理手段２３は、Ａ端ＩＦＩＤ２７２、Ｚ端ＩＦＩＤ２７４を、それぞれ、該グループリンク２５１のローカルＩＦＩＤ２５１１、リモートＩＦＩＤ２５１３に設定する。さらに、リンク管理手段２３は、帯域２７５、残余帯域２７６を、設定したパスの帯域に設定する。
【００５３】
次に、ステップＳ３７において、リンク広告手段２２は、変更したリンク情報（図２のリンクＤＢ２７の情報）について、他の通信装置に広告を行う。
このようにして、パスの始点装置である通信装置Ｂは、自動的に、複数のパスをグループ化して１つのリンクとして他の通信装置に広告することができる。
【００５４】
図４は、パスの終点装置となる図２の通信装置が複数のパスをグループ化して１つのリンクとして広告する際の処理手順を示したフローチャートである（適宜図１、図２参照）。
【００５５】
まず、ステップＳ４１において、リンク識別子管理手段２４は、リンク識別子管理ＤＢ２５で事前にグループリンク２５１と個別リンク２５２の関連付けを行う。このとき、すべての個別リンク２５２について、フラグ２５２３を０（利用不可）としておく。
【００５６】
たとえば、図１のネットワーク構成の通信装置Ｄにて、パス※１、パス※２が未設定である初期状態において、ステップＳ４１により、以下の表２のように、各値が設定される。
【表２】
2007158480.tif 000004
【００５７】
ステップＳ４２において、通信装置Ｄは、隣接する通信装置からパス設定情報を受信したとする。パス設定情報には、始点装置ＩＤ、終点装置ＩＤ、パス識別子、帯域、経路およびリンクのローカルＩＦＩＤが含まれる。
【００５８】
そうすると、ステップＳ４３において、リンク識別子管理手段２４は、リンク識別子管理ＤＢ２５の中から、その対応するグループリンク２５１の個別リンク２５２を検索する。すなわち、リモート装置ＩＤ２５１２がパス設定情報に含まれる始点装置ＩＤに一致するグループリンク２５１の中で、さらに、個別リンク２５２のリモートＩＦＩＤ２５２２がパス設定情報に含まれるリンクのローカルＩＦＩＤに一致する個別リンク２５２を検索する。
【００５９】
次に、ステップＳ４４において、パス設定手段２１は、パスを設定する。具体的には、パス設定手段２１は、まず、パス設定応答を、隣接する通信装置に向けて送出する。このとき、パス設定手段２１は、パス設定応答のリンクのリモートＩＦＩＤに、ステップＳ４３で検索された個別リンクのローカルＩＦＩＤを設定する、つまり、パスＤＢ２６を更新する。
【００６０】
次に、パス設定手段２１は、ステップＳ４２で取得したパス設定情報に含まれる始点装置ＩＤ、終点装置ＩＤ、パス識別子、経路および帯域、ステップＳ４３で検索された個別リンクのローカルＩＦＩＤ、ステップＳ４２で取得したパス設定情報に含まれるリンクのローカルＩＦＩＤを、パス情報として、パスＤＢ２６の始点装置ＩＤ２６１〜リモートＩＦＩＤ２６６２に格納する。
【００６１】
続いて、ステップＳ４５において、リンク識別子管理手段２４は、リンク識別子管理ＤＢ２５を更新する。すなわち、パス設定時に送受信したリンクのローカルＩＦＩＤおよびリモートＩＦＩＤについて、リンク識別子管理ＤＢ２５のその対応する個別リンク２５２のフラグ２５２３を１（利用可能）に変更する。
【００６２】
ステップＳ４６において、リンク管理手段２３は、リンクＤＢ２７を更新する。すなわち、図３のステップＳ３６と同様の処理を行う。
次に、ステップＳ４７において、リンク広告手段２２は、変更したリンク情報について、他の通信装置に広告を行う。
このようにして、パスの終点装置である通信装置Ｄは、自動的に、複数のパスをグループ化して１つのリンクとして他の通信装置に広告することができる。
【００６３】
なお、図３、図４の処理において、設定したパスをグループ化せずにリンクとして広告する場合には、たとえば、グループリンク２５１のローカルＩＦＩＤ２５１１、リモート装置ＩＤ２５１２およびリモートＩＦＩＤ２５１３を空にしておく方法が考えられる。
【００６４】
＜第２実施形態＞
図５は、第２実施形態に係る通信装置の構成図である。図２の通信装置と比較して、リンク識別子管理ＤＢ２５ａにはフラグ（図２のフラグ２５２３）がなく、パスＤＢ２６ａにグループリンク２６７、ローカルＩＦＩＤ２６７１およびリモートＩＦＩＤ２６７２が設けられている点で異なっている。その他、図２の通信装置と同じ構成には同じ符号を付与し、その説明を省略する。
【００６５】
第２実施形態に係る通信装置では、リンク識別子管理ＤＢ２５ａは、グループリンク２５１と個別リンク２５２の関連付けを格納するが、個別リンクのＩＦＩＤを事前に設定するのではなく、パス設定時に動的に払い出すことになる。したがって、リンク識別子管理ＤＢ２５ａに格納された個別リンクは、すべて利用可能な状態となる。
【００６６】
また、パスＤＢ２６ａのグループリンク２６７はオプション情報（必須ではない情報）であり、パスを設定した後に、グループリンクとして広告する際に情報が設定され、そのときのグループリンクＩＦＩＤを示す。
【００６７】
なお、ローカルＩＦＩＤ２６７１は、リンク識別子管理ＤＢ２５のローカルＩＦＩＤ２５１１あるいはローカルＩＦＩＤ２５２１と同様の意味である。
リモートＩＦＩＤ２６７２は、リンク識別子管理ＤＢ２５のリモートＩＦＩＤ２５１３あるいはリモートＩＦＩＤ２５２２と同様の意味である。
【００６８】
ここでは、パス設定手段２１がグループリンクと個別リンクの関連付けを含めて、パス設定情報、パス設定応答の交換を行うため、パス設定時に動的に関連付けを実現できる。
【００６９】
図６は、パスの始点装置となる図５の通信装置が複数のパスをグループ化して１つのリンクとして広告する際の処理手順を示したフローチャートである（適宜図１、図５参照）。
【００７０】
まず、ステップＳ６１において、パス設定要求が発生したとする。パス設定要求で与えられるパラメータとしては、始点装置ＩＤ、終点装置ＩＤ、帯域などがある。パス設定要求の発生のトリガーとしては、オペレータによる指示や、トラヒックの増加、さらには、外部の通信装置（たとえば通信装置Ａ）からのパス設定情報の受信などが考えられる。
【００７１】
そうすると、ステップＳ６２において、リンク識別子管理手段２４は、リンク識別子管理ＤＢａ２５の中から、パス設定要求の終点装置ＩＤと一致するリモート装置ＩＤを持つグループリンク２５１を検索する。グループリンク２５１が発見された場合は、グループリンク２５１のローカルＩＦＩＤ２５１１を取得するとともに、新たに個別リンク２５２のローカルＩＦＩＤ２５２１を払い出す。グループリンク２５１が発見されない場合は、新たにグループリンク２５１のローカルＩＦＩＤ２５１１と個別リンク２５２のローカルＩＦＩＤ２５２１を払い出す。
【００７２】
次に、ステップＳ６３において、パス設定手段２１は、パスを設定する。具体的には、パス設定手段２１は、まず、パス設定情報を、経路の次ホップ（通信装置）に向けて送出する。ここで、経路を計算するために、独立の経路計算手段（不図示）を持つようにしてもよい。経路計算手段は、たとえば、リンクＤＢ２７の情報を用い、公知の制約付きDijkstra法により経路計算を行うものであればよい。
【００７３】
パス設定情報のリンクのローカルＩＦＩＤおよびグループリンクのローカルＩＦＩＤには、ステップＳ６２で取得した個別リンク２５２のローカルＩＦＩＤ２５２１およびグループリンク２５１のローカルＩＦＩＤ２５１１が設定される。
パス設定情報の送信先の通信装置からパス設定応答を受信すれば、パス設定が完了したことになる。パス設定応答には、リンクのリモートＩＦＩＤおよびグループリンクのリモートＩＦＩＤが含まれる。
【００７４】
次に、パス設定手段２１は、パスＤＢ２６ａを更新する。具体的には、パス設定手段２１は、ステップＳ６１で与えられたパスの始点装置ＩＤ、終点装置ＩＤおよび帯域と、本ステップで設定したパス、ステップＳ６２で取得した個別リンク２５２のローカルＩＦＩＤ２５２１とリモートＩＦＩＤ２５１３、および、グループリンク２５１のローカルＩＦＩＤ２５１１とリモートＩＦＩＤ２５１３を、パス情報としてパスＤＢ２６ａに格納する。この際、パス識別子２６３に格納されるパス識別子は、たとえば、パス設定手段２１が自動的に払い出すようにすればよい。
【００７５】
続いて、ステップＳ６４において、リンク識別子管理手段２４は、リンク識別子管理ＤＢ２５aを更新する。すなわち、リンク識別子管理ＤＢ２５ａに、設定されたパスをグループリンク２５１と関連付けて、個別リンク２５２として登録する。
具体的には、リンク識別子管理手段２４は、グループリンク２５１を新たに設定した場合は、個別リンク２５２の登録とともに、グループリンク２５１を登録する。
【００７６】
つまり、個別リンク２５２のローカルＩＦＩＤ２５２１はステップＳ６２で払い出した値、リモートＩＦＩＤ２５２２はパス設定応答に含まれるリンクのリモートＩＦＩＤとなる。
また、グループリンク２５１のローカルＩＦＩＤ２５１１はステップＳ６２で払い出した値、リモート装置ＩＤ２５１２はパスの終点装置ＩＤ、リモートＩＦＩＤ２５１３はパス設定応答に含まれるグループリンクのリモートＩＦＩＤとなる。
【００７７】
リンク識別子管理手段２４は、グループリンク２５１を新たに設定しない場合は、ステップＳ６２で検索されたグループリンク２５１に関連付けて、個別リンク２５２を登録する。
個別リンク２５２のローカルＩＦＩＤ２５２１はステップＳ６２で払い出した値、リモートＩＦＩＤ２５２２はパス設定応答に含まれるリンクのリモートＩＦＩＤとなる。
【００７８】
ステップＳ６５において、リンク管理手段２３は、リンクＤＢ２７を更新する。すなわち、図３のステップＳ３６と同様の処理を行う。
次に、ステップＳ６６において、リンク広告手段２２は、変更したリンク情報について、他の通信装置に広告を行う。
このようにして、パスの始点装置である通信装置Ｂは、パス設定手段２１が個別リンクおよびグループリンクに関するＩＦＩＤを含む情報を送受信してパスを設定することで、パス設定と連動して複数のパスのグループ化を行うことができる。
【００７９】
図７は、パスの終点装置となる図５の通信装置が複数のパスをグループ化して１つのリンクとして広告する際の処理手順を示したフローチャートである（適宜図１、図５参照）。
【００８０】
まず、ステップＳ７１において、通信装置Ｄは、隣接する通信装置からパス設定情報を受信したとする。パス設定情報には、始点装置ＩＤ、リンクのローカルＩＦＩＤ、および、グループリンクのローカルＩＦＩＤが含まれる。
【００８１】
そうすると、ステップＳ７２において、リンク識別子管理手段２４は、リンク識別子管理ＤＢ２５の中から、リンク識別子管理ＤＢ２５ａのリモート装置ＩＤ２５１２がパス設定情報に含まれる始点装置ＩＤに一致し、かつ、リンク識別子管理ＤＢ２５ａのグループリンク２５１のリモートＩＦＩＤ２５１３がパス設定情報に含まれるグループリンクのローカルＩＦＩＤに一致するグループリンク２５１を検索する。
【００８２】
グループリンク２５１が発見された場合、リンク識別子管理手段２４は、グループリンク２５１のローカルＩＦＩＤ２５１１を取得するとともに、新たに個別リンク２５２のローカルＩＦＩＤ２５２１を払い出す。
グループリンク２５１が発見されない場合、リンク識別子管理手段２４は、新たにグループリンク２５１のローカルＩＦＩＤ２５１１と個別リンク２５２のローカルＩＦＩＤ２５２１を払い出す。
【００８３】
次に、ステップＳ７３において、パス設定手段２１は、パスを設定する。具体的には、パス設定手段２１は、まず、パス設定応答を、隣接する通信装置に向けて送出する。このとき、パス設定手段２１は、パス設定応答のリンクのリモートＩＦＩＤに、ステップＳ７２で検索されたグループリンク２５１の個別リンク２５２のローカルＩＦＩＤ２５２１を設定し、パス設定応答のグループリンクのリモートＩＦＩＤに、ステップＳ７２で検索されたグループリンク２５１のローカルＩＦＩＤ２５１１を設定する。
【００８４】
次に、パス設定手段２１は、ステップＳ７１で取得したパス設定情報に含まれる始点装置ＩＤ、終点装置ＩＤ、パス識別子、経路および帯域、ステップＳ７２で検索された個別リンク２５２のローカルＩＦＩＤ２５２１とリモートＩＦＩＤ２５２２、ステップＳ７２で検索されたグループリンク２５１のローカルＩＦＩＤ、ステップＳ７１で受信したパス設定情報に含まれるグループリンクのリモートＩＦＩＤを、パス情報として、パスＤＢ２６ａの始点装置ＩＤ２６１〜リモートＩＦＩＤ２６７２に格納する。
【００８５】
続いて、ステップＳ７４において、リンク識別子管理手段２４は、リンク識別子管理ＤＢ２５ａを更新する。すなわち、リンク識別子管理ＤＢ２５ａに、設定されたパスをグループリンク２５１と関連付けて、個別リンクとして登録する。
具体的には、グループリンク２５１を新たに設定した場合、リンク識別子管理手段２４は、個別リンク２５２の登録とともに、グループリンク２５１を登録する。個別リンク２５２のローカルＩＦＩＤ２５２１はステップＳ７２で払い出した値、リモートＩＦＩＤ２５２２はパス設定情報に含まれるリンクのローカルＩＦＩＤとなる。
グループリンク２５１のローカルＩＦＩＤ２５１１はステップＳ７２で払い出した値、リモート装置ＩＤ２５１２はパス設定情報に含まれるパスの始点装置ＩＤ、リモートＩＦＩＤ２５１３はパス設定情報に含まれるグループリンクのローカルＩＦＩＤとなる。
【００８６】
グループリンク２５１を新たに設定しない場合、リンク識別子管理手段２４は、ステップＳ７２で検索されたグループリンク２５１に関連付けて、個別リンク２５２の登録を行う。
個別リンク２５２のローカルＩＦＩＤ２５２１はステップＳ７２で払い出した値、リモートＩＦＩＤ２５２２はパス設定情報に含まれるリンクのローカルＩＦＩＤとなる。
【００８７】
ステップＳ７５において、リンク管理手段２３は、リンクＤＢ２７を更新する。すなわち、図６のステップＳ６５と同様の処理を行う。
次に、ステップＳ７６において、リンク広告手段２２は、変更したリンク情報について、他の通信装置に広告を行う。
このようにして、パスの終点装置である通信装置Ｄは、パス設定手段２１が個別リンクおよびグループリンクに関するＩＦＩＤを含む情報を送受信してパスを設定することで、パス設定と連動して複数のパスのグループ化を行うことができる。
【００８８】
なお、図６、図７の処理において、設定したパスをグループ化せずにリンクとして広告する場合には、たとえば、リンク識別子管理手段２４が、リンク識別子管理ＤＢ２５ａからグループリンク２５１のローカルＩＦＩＤ２５１１とリモートＩＦＩＤ２５１３を払い出さず、また、パス設定手段２１が、グループリンクの各ＩＦＩＤを交換しない方法が考えられる。
【００８９】
＜第３実施形態＞
図８は、第３実施形態に係る通信装置の構成図である。図８の通信装置は、図５の通信装置と比較して、実リンクＤＢ２８が追加された以外は、図５の通信装置と同様である。実リンクＤＢ２８のＡ端装置ＩＤ２８１〜その他２８７は、リンクＤＢ２７のＡ端装置ＩＤ２７１〜その他２７７と同様である。その他、図５の通信装置と同じ構成には同じ符号を付与し、その説明を省略する。
【００９０】
リンクＤＢ２７と実リンクＤＢ２８に格納されるリンク情報の対象となるリンクとしては、主に次の５種類が挙げられる。なお、（１）〜（４）は、第１実施形態で説明したリンク（１）〜（４）と同様であるので、説明を省略する。
（１）通常のリンク（設定変更を前提としていない静的なリンク）
（２）設定されたパスをリンクとして広告する場合のリンク（グループ化なし）
（３）通常のリンクのグループリンク
（４）設定された複数のパスをグループ化したグループリンク
（５）すべての帯域がその時点で利用可能とは限らない仮想的なリンク（仮想リンク）
【００９１】
仮想リンクに対応するその時点で利用可能な帯域を管理するリンク情報を実リンク情報と呼び、実リンク情報は実リンクＤＢ２８に格納される。
たとえば、図１で、通信装置Ｂと通信装置Ｄの間に帯域が１０Gbpsの仮想リンクを設定した場合、通信装置Ｂと通信装置Ｄの間に実際にはパスが設定されていなくてもかまわない。
【００９２】
リンク広告手段２２は、リンクＤＢ２７のリンク情報のみ他の通信装置と交換し、実リンクＤＢ２８のリンク情報は交換しない。したがって、仮想リンクの両端となっている通信装置以外は、仮想リンクか否かは区別しない。
これにより、実際にパスを設定しなくても、他の通信装置には、あたかもパスを設定してリンクが利用可能であるかのように広告することができ、実際にトラヒックを運ぶ必要が生じたときのみパスを設定することで、リソースを効率的に利用することができる。
なお、この場合、リンク識別子管理ＤＢ２５ａにおいて、グループリンク２５１に対して、０以上の個別リンク２５２が関連付けられるようになる。
【００９３】
図９は、パスの始点装置となる図８の通信装置が複数のパスをグループ化して１つのリンクとして広告する際の処理手順を示したフローチャートである（適宜図１、図８参照）。
【００９４】
ステップＳ９１において、リンク管理手段２３は、自身が一端となる仮想リンクの設定を行い、各値を各種ＤＢに格納する。具体的には、リンク管理手段２３は、仮想リンクのＡ端装置ＩＤ、Ａ端ＩＦＩＤ、Ｚ端装置ＩＤ、Ｚ端ＩＦＩＤ、帯域および残余帯域を決定し、リンクＤＢ２７のＡ端装置ＩＤ２７１〜残余帯域２７６に、それらの値をリンク情報として追加する。
【００９５】
また、このとき、Ａ端装置ＩＤもしくはＺ端装置ＩＤが自身の通信装置ＩＤとなるが、Ａ端装置ＩＤを自身の通信装置ＩＤとした場合は、リンク識別子管理ＤＢ２５ａにおいて、ローカルＩＦＩＤ２５１１をリンクＤＢ２７に設定したＡ端ＩＦＩＤ２７２、リモート装置ＩＤ２５１２をリンクＤＢ２７に設定したＺ端装置ＩＤ２７３、そして、リモートＩＦＩＤ２５１３をリンクＤＢ２７に設定したＺ端ＩＦＩＤ２７４として、リンク情報を追加する。この場合、関連付けられる個別リンク２５２は空となる。
【００９６】
リンクＤＢ２７でＺ端装置ＩＤを自身の通信装置ＩＤとした場合でも、同様の処理でリンク情報を追加する。さらに、実リンクＤＢ２８のＡ端装置ＩＤ２８１〜Ｚ端ＩＦＩＤ２８４に、リンクＤＢ２７のＡ端装置ＩＤ２７１〜Ｚ端ＩＦＩＤ２７４のリンク情報を追加する。このとき、帯域２８５および残余帯域２８６は０を設定する。
【００９７】
そして、ステップＳ９２において、パス設定要求が発生したとする。パス設定要求で与えられるパラメータとしては、始点装置ＩＤ、終点装置ＩＤ、帯域などがある。パス設定要求の発生のトリガーとしては、オペレータによる指示や、トラヒックの増加、さらには、外部の通信装置（たとえば通信装置Ａ）からのパス設定情報の受信などが考えられる。
【００９８】
そうすると、ステップＳ９３において、リンク識別子管理手段２４は、リンク識別子管理ＤＢａ２５の中から、パス設定要求の終点装置ＩＤと一致するリモート装置ＩＤを持つグループリンク２５１を検索する。リンク識別子管理手段２４は、グループリンク２５１のローカルＩＦＩＤ２５１１を取得するとともに、新たに個別リンク２５２のローカルＩＦＩＤ２５２１を払い出す。
【００９９】
次に、ステップＳ９４において、パス設定手段２１は、パスを設定する。すなわち、図６のステップＳ６３と同様の処理を行う。
続いて、ステップＳ９５において、リンク識別子管理手段２４は、リンク識別子管理ＤＢ２５aを更新する。すなわち、リンク識別子管理ＤＢ２５ａに、設定されたパスをグループリンク２５１と関連付けて、個別リンク２５２として登録する。
【０１００】
具体的には、リンク識別子管理手段２４は、ステップＳ９３で検索されたグループリンク２５１に関連付けて個別リンク２５２を登録する。個別リンク２５２のローカルＩＦＩＤ２５２１はステップＳ９２で払い出した値、リモートＩＦＩＤ２５２２はパス設定応答に含まれるリンクのリモートＩＦＩＤとなる。
【０１０１】
ステップＳ９６において、リンク管理手段２３は、実リンクＤＢ２８とリンクＤＢ２７を更新する。すなわち、図６のステップＳ６５と同様の処理を、実リンクＤＢ２８とリンクＤＢ２７に対して行う。
【０１０２】
次に、ステップＳ９７において、リンク広告手段２２は、変更したリンク情報について、他の通信装置に広告を行う。
このようにして、パスの始点装置である通信装置Ｂは、実際には設定されていないパスも含めてグループ化して１つのリンクとして他の通信装置に広告することで、リソースの効率的な利用を実現することができる。
【０１０３】
図１０は、パスの終点装置となる図８の通信装置が複数のパスをグループ化して１つのリンクとして広告する際の処理手順を示したフローチャートである（適宜図１、図８参照）。
【０１０４】
ステップＳ１０１において、リンク管理手段２３は、自身が一端となる仮想リンクの設定を行い、各種ＤＢを更新する。すなわち、図９のステップＳ９１と同様の処理を行う。
次に、ステップＳ１０２において、隣接の通信装置からパス設定情報を受信したとする。パス設定情報には、始点装置ＩＤ、リンクのローカルＩＦＩＤ、および、グループリンクのローカルＩＦＩＤが含まれる。
【０１０５】
そうすると、ステップＳ１０３において、リンク識別子管理手段２４は、リンク識別子管理ＤＢａ２５の中から、リンク識別子管理ＤＢ２５ａのリモート装置ＩＤ２５１２がパス設定情報に含まれる始点装置ＩＤに一致し、かつ、リンク識別子管理ＤＢ２５ａのグループリンク２５１のリモートＩＦＩＤ２５１３がパス設定情報に含まれるグループリンクのローカルＩＦＩＤに一致するグループリンクを検索する。
【０１０６】
グループリンク２５１が発見された場合、リンク識別子管理手段２４は、グループリンク２５１のローカルＩＦＩＤ２５１１を取得するとともに、新たに個別リンク２５２のローカルＩＦＩＤ２５２１を払い出す。グループリンク２５１が発見されない場合は、エラーとなる。
【０１０７】
次に、ステップＳ１０４において、パス設定手段２１は、パスを設定する。すなわち、図７のステップＳ７３と同様の処理を行う。
続いて、ステップＳ１０５において、リンク識別子管理手段２４は、リンク識別子管理ＤＢ２５aを更新する。すなわち、リンク識別子管理ＤＢ２５ａに、設定されたパスをグループリンク２５１と関連付けて、個別リンク２５２として登録する。
【０１０８】
具体的には、リンク識別子管理手段２４は、ステップＳ１０３で検索されたグループリンク２５１に関連付けて個別リンク２５２を登録する。個別リンク２５２のローカルＩＦＩＤ２５２１はステップＳ１０２で払い出した値、リモートＩＦＩＤ２５２２はパス設定応答に含まれるリンクのリモートＩＦＩＤとなる。
【０１０９】
ステップＳ１０６において、リンク管理手段２３は、実リンクＤＢ２８とリンクＤＢ２７を更新する。すなわち、図９のステップＳ９６と同様の処理を行う。
次に、ステップＳ１０７において、リンク広告手段２２は、変更したリンク情報について、他の通信装置に広告を行う。
このようにして、パスの終点装置である通信装置Ｄは、実際には設定されていないパスも含めてグループ化して１つのリンクとして他の通信装置に広告することで、リソースの効率的な利用を実現することができる。
【０１１０】
なお、図９、図１０の処理で、仮想リンクに対応する実リンクが、複数のパスをグループ化しない場合は、仮想リンク登録時に、グループリンク２５１のローカルＩＦＩＤ２５１１、リモート装置ＩＤ２５１２およびリモートＩＦＩＤ２５１３を空にするとともに、パス設定情報で、グループリンクのＩＦＩＤを他の通信装置と交換しない方法が考えられる。
【０１１１】
＜第４実施形態＞
第３実施形態の応用として、リンク広告手段を複数持つことで、ネットワークを仮想化して、外部の通信装置に見せる形態を、第４実施形態として説明する（適宜図８参照）。
図１１は、ネットワークを仮想化した場合の、ネットワーク構成の一部を示した図である。通信装置Ａ，Ｃ，Ｅの構成は、図８の場合と同様である。
【０１１２】
ここで、通信装置Ｂは、論理的に通信装置Ｂ１および通信装置Ｂ２という２つの通信装置を有している。すなわち、通信装置Ｂ１と通信装置Ｂ２のそれぞれが、図８のリンク広告手段２２を有しているものとする。
同様に、通信装置Ｄは、論理的に通信装置Ｄ１および通信装置Ｄ２という２つの通信装置を有している。
【０１１３】
通信装置Ｂ１のリンク広告手段２２は、通信装置Ｃのリンク広告手段２２とリンク情報を交換する。
また、通信装置Ｂ２のリンク広告手段２２は、通信装置Ａおよび通信装置Ｄ２のリンク広告手段２２とリンク情報を交換する。
【０１１４】
同様に、通信装置Ｄ１のリンク広告手段２２は、通信装置Ｃのリンク広告手段２２とリンク情報を交換する。
また、通信装置Ｄ２のリンク広告手段２２は、通信装置Ｅおよび通信装置Ｂ２のリンク広告手段２２とリンク情報を交換する。
【０１１５】
この場合、通信装置Ｂと通信装置Ｄの間にパスを設定し、設定したパスをリンクもしくはグループリンクとして通信装置Ｂ２、通信装置Ｄ２が広告することで、通信装置Ａや通信装置Ｅに対して、通信装置Ｃを隠蔽することが可能である。
また、この際、第３実施形態の通信装置の構成を利用することで、実際には通信装置Ｂと通信装置Ｄの間にパスを設定していなくても、仮想リンクとして、通信装置Ａや通信装置Ｅに対して、あたかもリンクがあるように広告することができる。
【０１１６】
以上で実施形態の説明を終えるが、本発明の態様はこれらに限定されるものではない。
たとえば、ネットワークのトポロジーは、バス型、スター型、リング型など、いずれであってもよい。また、ネットワーク内の通信装置の台数に制限はない。
その他、具体的な構成について、本発明の趣旨を逸脱しない範囲で適宜変更が可能である。
【図面の簡単な説明】
【０１１７】
【図１】本実施形態が前提とするネットワーク構成の一部を示した図である。
【図２】第１実施形態に係る通信装置の構成図である。
【図３】パスの始点装置となる図２の通信装置が複数のパスをグループ化して１つのリンクとして広告する際の処理手順を示したフローチャートである。
【図４】パスの終点装置となる図２の通信装置が複数のパスをグループ化して１つのリンクとして広告する際の処理手順を示したフローチャートである。
【図５】第２実施形態に係る通信装置の構成図である。
【図６】パスの始点装置となる図５の通信装置が複数のパスをグループ化して１つのリンクとして広告する際の処理手順を示したフローチャートである。
【図７】パスの終点装置となる図５の通信装置が複数のパスをグループ化して１つのリンクとして広告する際の処理手順を示したフローチャートである。
【図８】第３実施形態に係る通信装置の構成図である。
【図９】パスの始点装置となる図８の通信装置が複数のパスをグループ化して１つのリンクとして広告する際の処理手順を示したフローチャートである。
【図１０】パスの終点装置となる図８の通信装置が複数のパスをグループ化して１つのリンクとして広告する際の処理手順を示したフローチャートである。
【図１１】ネットワークを仮想化した場合の、ネットワーク構成の一部を示した図である。
【符号の説明】
【０１１８】
２１    パス設定手段
２２    リンク広告手段
２３    リンク管理手段
２４    リンク識別子管理手段
２５    リンク識別子管理ＤＢ
２６    パスＤＢ
２７    リンクＤＢ
２８    実リンクＤＢ
【図１】
2007158480.tif 000005
【図２】
2007158480.tif 000006
【図３】
2007158480.tif 000007
【図４】
2007158480.tif 000008
【図５】
2007158480.tif 000009
【図６】
2007158480.tif 000010
【図７】
2007158480.tif 000011
【図８】
2007158480.tif 000012
【図９】
2007158480.tif 000013
【図１０】
2007158480.tif 000014
【図１１】
2007158480.tif 000015